(57)【特許請求の範囲】
【請求項１】
スイッチ接点を構成する部品の少なくとも一部が実装されたスイッチ部を有する基板と、
前記基板上の前記スイッチ部の外周に設置される固定部と該固定部の上部に一体に形成した筒状の被保持部とからなる基部と、前記スイッチ部を駆動するための操作子部と、前記基部に対して前記操作子部を移動可能に連結してなる弾性を有する連結部とからなる中間部材と、
板状の本体部と、該本体部に設けた前記操作子部を配置するための開口部と、前記本体部の下面側における前記開口部の外周に突設した筒状の保持部とを有するパネル部材と、
前記パネル部材と前記基板との間に前記中間部材を挟んだ状態で、前記パネル部材と前記基板とを圧着させて固定する固定手段と、を備え、
前記中間部材の前記操作子部が前記パネル部材の前記開口部に露出し、
前記パネル部材の前記保持部に前記中間部材の前記被保持部が嵌合保持されて、
前記中間部材の前記固定部が、前記パネル部材の前記保持部の下端と前記基板の上面とによって狭持されており、
前記基板は、所定間隔で設置した複数の前記スイッチ部を備えており、前記中間部材には、前記複数のスイッチ部それぞれに対応する複数の前記操作子部が設けられており、前記パネル部材には、前記複数の操作子部それぞれに対応する前記開口部が設けられており、
前記中間部材は、隣接する前記操作子部の外周に配置された前記固定部同士を接続してなる接続部を備えており、
前記接続部は、前記基板の上面に対して隙間を有する状態で設置されるように形成されている
ことを特徴とするスイッチ構造。
【請求項２】
前記スイッチ接点を構成する部品として、前記基板の前記スイッチ部に設置した固定接点と、前記操作子部の下面に設けた可動接点とを有し、
前記操作子部が押下操作されることで、前記可動接点が前記固定接点に接触してスイッチングが行われる
ことを特徴とする請求項１に記載のスイッチ構造。
【請求項３】
前記スイッチ接点を構成する部品として、前記基板上の前記スイッチ部に設置した押圧により作動する押釦式スイッチを備え、
前記操作子部が押下操作されることで、該操作子部の下面が前記押釦式スイッチを押圧してスイッチングが行われる
ことを特徴とする請求項１に記載のスイッチ構造。
【請求項４】
前記中間部材における前記被保持部の外周側には、前記パネル部材の前記保持部の外周側を囲む筒状の突起からなる囲み部が形成されており、前記被保持部と前記囲み部との間は、前記保持部の下端を挿入させる窪み部になっており、
前記パネル部材の前記保持部に前記中間部材の前記被保持部を嵌合保持させた状態で、前記保持部の下端が前記窪み部に配置されて、前記囲み部が前記保持部の外周側に重なるように構成した
ことを特徴とする請求項１乃至３のいずれか１項に記載のスイッチ構造。
【請求項５】
前記操作子部は、少なくともその一部が透明又は半透明の透光部であって、
前記基板上の前記スイッチ部に設置した発光体を備え、
前記発光体の光が前記透光部を通過して前記操作子部の上面側に照射されるように構成した
ことを特徴とする請求項1乃至４のいずれか１項に記載のスイッチ構造。
【請求項６】
電子部品が設置された電子部品設置部を有する基板と、
前記基板上の前記電子部品設置部の外周に設置される固定部と該固定部の上部に一体に形成した筒状の被保持部とからなる基部と、前記電子部品設置部の上方に配置される操作子部と、前記基部に対して前記操作子部を連結してなる連結部とからなる中間部材と、
板状の本体部と、該本体部に設けた前記操作子部を配置するための開口部と、前記本体部の下面側における該開口部の外周に突設した筒状の保持部とを有するパネル部材と、
前記パネル部材と前記基板との間に前記中間部材を挟んだ状態で、前記パネル部材と前記基板とを圧着させて固定する固定手段と、を備え、
前記中間部材の前記操作子部が前記パネル部材の前記開口部に露出し、
前記パネル部材の前記保持部に前記中間部材の前記被保持部が嵌合保持され、
前記中間部材の前記固定部が、前記パネル部材の前記保持部の下端と前記基板の上面とによって狭持されると共に、
前記基部とそれに隣接する他の基部との間を接続する接続部を備え、
前記接続部は、前記基板の上面に対して隙間を有する状態で設置されるように形成されている
ことを特徴とする電子部品設置構造。
【請求項７】
各種機能の設定操作を行うための操作子が配列された操作パネル部と、楽音を発生するためのスピーカとを備えた電子楽器であって、
前記操作パネル部には、請求項１乃至５のいずれかに記載のスイッチ構造と、請求項６に記載の電子部品設置構造との少なくともいずれかが設けられている
ことを特徴とする電子楽器。
【発明の詳細な説明】
【技術分野】
【０００１】
本発明は、電子楽器をはじめとする各種の電子機器に採用して好適なスイッチ構造、電子部品設置構造、及びこれらスイッチ構造又は電子部品設置構造を備えた電子楽器に関する。
【背景技術】
【０００２】
従来、電子鍵盤楽器などをはじめとする各種の電子機器には、操作パネル上に配置した各種操作用のスイッチが設けられている。このようなスイッチの従来例として、特許文献１、２に示すスイッチ構造がある。特許文献１に記載のスイッチ構造は、操作子を露出させるための操作子孔が形成された板状の操作パネルと、操作パネルの下面側に設置される回路基板と、回路基板上に設けた固定接点と、操作パネルの下面側に可撓性を有するヒンジ部を介して上下動自在に設置した操作子と、該操作子の下面側に設けた突起状のアクチュエータと、該アクチュエータで押圧される柔軟性を有する樹脂材からなる接点ラバーと、接点ラバーの下面に設けた可動接点とを備えて構成されており、下面側に操作子を取り付けた操作パネルと、上面側に接点ラバーを設置した基板との間にスペーサを挟んでこれらを所定間隔で固定した構造である。このスイッチ構造では、操作パネルの操作子孔から突出する操作子を指などで押圧操作すると、操作子のアクチュエータで接点ラバーが押圧されて弾性変形する。これにより、接点ラバーの可動接点が基板上の固定接点に接触してスイッチがオンするようになっている。
【０００３】
ところで、特許文献１に示すスイッチ構造では、基板上に設置した接点ラバーの上に操作子のアクチュエータが取り付けられており、接点ラバーが操作子によって基板上に押え付けられた状態で設置されているが、操作子はヒンジ部で上下動可能な状態で設置されているため、接点ラバーや操作子は、基板や操作パネルに対して完全に固定されている状態ではなく、微動が可能な状態で設置されている。しかしながら、スピーカなどから音響を発生する電子鍵盤楽器にこのスイッチ構造を設けた場合、発生する音響によって電子鍵盤楽器の筐体が微振動する。その場合、当該微振動が筐体から基板や操作パネルに伝播することによって、操作子や接点ラバーに振動音（いわゆるビリツキ音）が発生するおそれがあった。なお、上記のヒンジ部にプリテンションをかけ、接点ラバーを若干押圧した状態で基板に取り付けることで、振動音が発生し難くすることも考えられるが、そのような構成では、接点ラバーに変形が生じる場合があり、接点のオンオフ動作が適切に行われなくなるおそれがある。
【０００４】
また、特許文献１のスイッチ構造では、操作パネルの操作子孔に露出する操作子と、操作子で押圧される接点ラバーとが別部品で構成されていた。そのため、スイッチ構造の部品点数が多く、構造の簡素化の妨げになるおそれがあった。また、部品点数が多いことで、組立作業に手間や時間がかかり、製造工程の簡素化の妨げにもなるおそれがあった。
【０００５】
特許文献２に示すスイッチ構造は、電子鍵盤楽器のキースイッチ（鍵スイッチ）であって、複数の鍵を有する鍵盤と、各鍵の下面に形成した突起状のアクチュエータと、鍵盤の下方に設置された固定接点を有する基板との間に、ゴムなどの弾性材料で形成された接点ラバー部材を取り付けた構造である。接点ラバー部材は、基板上に設置される板状のベース部と、該ベース部に所定間隔で設けた上方に凸の椀状部と、椀状部の下面（内底面）に設けた可動接点とを備えている。また、接点ラバー部材におけるベース部の下面側には、基板に設けた固定用の小孔に挿入固定される取付用の小突起が形成されている。
【０００６】
特許文献２に示すスイッチ構造では、接点ラバー部材は、取付用の小突起で基板上に取付固定されており、かつ、椀状部の上面に当接する鍵のアクチュエータで基板側に押し付けられている。そのため、スピーカから発生する音響によって電子鍵盤楽器の筐体が微振動することで、当該微振動が筐体から基板や操作パネルに伝播しても、接点ラバー部材に振動音が発生することをある程度は抑制することが可能である。しかしながら、このスイッチ構造では、特に、隣接する椀状部の間を含むベース部の全体が基板の上面に対して面状に接触しているため、ベース部と基板との間で微振動に伴うビリツキ音が発生するおそれがあった。
【０００７】
また、特許文献２のスイッチ構造では、接点ラバー部材を固定するための構造として、接点ラバー部材に設けた取付用の小突起を備えている。これにより、接点ラバー部材のビリツキ音の発生をある程度は抑制することが可能となる。しかしながら、多数の接点を一体形成してなる薄板状のラバーシートを備え、該ラバーシートに固定用の小突起を所定間隔で多数形成している。そのため、接点ラバー部材の形状が複雑になるという課題があった。また、スイッチ構造の組立において、取付用の小突起を基板の小孔に挿入固定する作業が必要となるため、組立作業に手間や時間がかかるという問題もある。
【先行技術文献】
【特許文献】
【０００８】
【特許文献１】特開平１１−３９９９４号公報
【特許文献２】特許２６５０１７９号公報
【発明の開示】
【発明が解決しようとする課題】
【０００９】
本発明は上述の点に鑑みてなされたものであり、その目的は、部品点数を少なく抑えた簡単な構造で、部材の微振動に伴うビリツキ音が発生することを効果的に抑制できるスイッチ構造、電子部品設置構造、及びそれを備えた電子楽器を提供することにある。
【課題を解決するための手段】
【００１０】
上記課題を解決するため、本発明にかかるスイッチ構造（１０）は、スイッチ接点（６１）を構成する部品（６１ａ，６１ｂ）の少なくとも一部が実装されたスイッチ部（６２）を有する基板（６０）と、前記基板（６０）上の前記スイッチ部（６２）の外周に設置される固定部（４１）と該固定部（４１）の上部に一体に形成した筒状の被保持部（４３）とからなる基部（４５）と、前記スイッチ部（６２）を駆動するための操作子部（４７）と、前記基部（４５）に対して前記操作子部（４７）を移動可能に連結してなる弾性を有する連結部（４９）とからなる中間部材（４０）と、板状の本体部（２１）と、該本体部（２１）に設けた前記操作子部（４７）を配置するための開口部（２３）と、前記本体部（２１）の下面（２０ｂ）側における前記開口部（２３）の外周に突設した筒状の保持部（２５）とを有するパネル部材（２０）と、前記パネル部材（２０）と前記基板（６０）との間に前記中間部材（４０）を挟んだ状態で、前記パネル部材（２０）と前記基板（６０）とを圧着させて固定する固定手段（７０）と、を備え、前記中間部材（４０）の前記操作子部（４７）が前記パネル部材（２０）の前記開口部（２３）に露出し、前記パネル部材（２０）の前記保持部（２５）に前記中間部材（４０）の前記被保持部（４３）が嵌合保持されて、前記中間部材（４０）の前記固定部（４１）が、前記パネル部材（２０）の前記保持部（２５）の下端（２５ｂ）と前記基板（６０）の上面（６０ａ）とによって狭持されていることを特徴とする。なお、ここでいう上又は下あるいは上面又は下面とは、上記のパネル部材と中間部材と基板とをそれらの面を横向き（水平向き）にしてこの順で上下に重ねて設置した場合の上又は下あるいは上面又は下面を指すものとする。
【００１１】
本発明にかかるスイッチ構造によれば、中間部材の固定部がパネル部材の保持部の下端と基板の上面とによって狭持されるように構成したことで、中間部材をパネル部材又は基板に対して確実に固定することが可能となる。また、パネル部材の保持部に中間部材の被保持部が嵌合保持されるように構成したことによっても、中間部材をパネル部材又は基板に対して確実に固定することができる。これらによって、基板及びパネル部材に微振動が伝わる状況でも、中間部材と基板及びパネル部材との間で振動音（ビリツキ音）が発生することを効果的に抑制できるスイッチ構造となる。
【００１２】
また、パネル部材の筒状の保持部に中間部材の筒状の被保持部が嵌合保持されるように構成したことで、パネル部材の開口部に配置した操作子部の位置決めも同時に行われるようになる。したがって、操作パネルなどのデザイン性の向上を図ることができる。また、中間部材は、押圧操作される操作子としての機能とスイッチ部を駆動する駆動体としての機能とを兼ね備えた操作子部を備えたものであるため、従来のスイッチ構造と比較して、部品点数の削減及び組立工程の簡素化を図ることができる。さらに、中間部材の固定部がパネル部材の保持部の下端と基板の上面とによって狭持されるように構成したことで、中間部材を基板に固定するための別途の固定手段が不要となる。これにより、中間部材の形状の簡素化を図ることができると共に、スイッチ構造の組立の容易化を図ることができる。
【００１３】
また、上記のスイッチ構造では、前記基板（６０）には、所定間隔で設置した複数の前記スイッチ部（６２）を備えており、前記中間部材（４０）には、前記複数のスイッチ部（６２）それぞれに対応する複数の前記操作子部（４７）が設けられており、前記パネル部材（２０）には、前記複数の操作子部（４７）それぞれに対応する前記開口部（２３）が設けられており、前記中間部材（４０）は、隣接する前記操作子部（４７）の外周に配置された前記固定部（４１）同士を接続してなる接続部（５１）を備えており、前記接続部（５１）は、前記基板（６０）の上面（６０ａ）に対して隙間（Ａ）を有する状態で設置されるように形成されていてよい。
【００１４】
この構成によれば、複数のスイッチ部に対応する固定部同士を接続する接続部が基板に接触しない状態で設置されるので、接続部と基板との隙間で振動音が発生せずに済むようになる。これにより、従来構造の問題点であった複数のスイッチを設けた場合のスイッチ間で発生する振動音を解消できる。
【００１５】
また、上記のスイッチ構造では、前記スイッチ接点（６１）を構成する部品として、前記基板（６０）の前記スイッチ部（６２）に設置した固定接点（６１ａ）と、前記操作子部（４７）の下面（４７ｂ）に設けた可動接点（６１ｂ）とを有し、前記操作子部（４７）が押下操作されることで、前記可動接点（６１ｂ）が前記固定接点（６１ａ）に接触してスイッチングが行われるようにしてよい。あるいは、前記スイッチ接点（６１）を構成する部品として、前記基板（６０）上の前記スイッチ部（６２）に設置した押圧により作動する押釦式スイッチ（６１ｃ）を備え、前記操作子部（４７）が押下操作されることで、該操作子部（４７）の下面（４７ｂ）が前記押釦式スイッチ（６１ｃ）を押圧してスイッチングが行われるようにしてもよい。
【００１６】
また、上記のスイッチ構造では、前記中間部材（４０）における前記被保持部（４３）の外周側には、前記パネル部材（２０）の前記保持部（２５）の外周側を囲む筒状の突起からなる囲み部（５２）が形成されており、前記被保持部（４３）と前記囲み部（５２）との間は、前記保持部（２５）の下端（５２ｂ）を挿入させる窪み部（５４）になっており、前記パネル部材（２０）の前記保持部（２５）に前記中間部材（４０）の前記被保持部（４３）を嵌合保持させた状態で、前記保持部（２５）の下端（２５ｂ）が前記窪み部（５４）に配置されて、前記囲み部（５２）が前記保持部（２５）の外周側に重なるようにしてよい。
【００１７】
この構成によれば、パネル部材の保持部に中間部材の被保持部を嵌合保持させた状態で、保持部の下端が窪み部に配置されて、囲み部が保持部の外周側に重なるので、パネル部材の保持部の下端と中間部材の固定部との間を密封することが可能となる。これにより、パネル部材の開口部から基板側に誤って飲物などの液体が入った場合でも、該液体が基板のスイッチ部側に浸入することを防ぐことができる。したがって、スイッチ構造に防水機能を持たせることができる。また、埃などの異物が侵入することも抑制できる。
【００１８】
また、上記のスイッチ構造では、前記操作子部（４７−２）は、少なくともその一部が透明又は半透明の透光部（４７−２）であって、前記基板（６０）上の前記スイッチ部（６２）に設置した発光体（Ｌ）を備え、前記発光体（Ｌ）の光が前記透光部（４７−２）を通過して前記操作子部（４７−２）の上面（４７−２ａ）側に照射されるように構成してよい。この構成によれば、基板上に発光体を設置するだけで、スイッチ構造に発光機能を持たせることができる。したがって、簡単な構成でスイッチ構造の利便性を向上させることができる。
【００１９】
また、本発明にかかる電子部品設置構造は、電子部品（６１，Ｌ）が設置された電子部品設置部（６２，６２−２）を有する基板（６０）と、前記基板（６０）上の前記電子部品設置部（６２，６２−２）の外周に設置される固定部（４１）と該固定部（４１）の上部に一体に形成した筒状の被保持部（４３）とからなる基部（４５）と、前記電子部品設置部（６２，６２−２）の上方に配置される操作子部（４７，４７−２）と、前記基部（４５）に対して前記操作子部（４７，４７−２）を連結してなる連結部（４９）とからなる中間部材（４０）と、板状の本体部（２１）と、該本体部（２１）に設けた前記操作子部（４７，４７−２）を配置するための開口部（２３）と、前記本体部（２１）の下面（２０ｂ）側における該開口部（２３）の外周に突設した筒状の保持部（２５）とを有するパネル部材（２０）と、前記パネル部材（２０）と前記基板（６０）との間に前記中間部材（４０）を挟んだ状態で、前記パネル部材（２０）と前記基板（６０）とを圧着させて固定する固定手段（７０）と、を備え、前記中間部材（４０）の前記操作子部（４７，４７−２）が前記パネル部材（２０）の前記開口部（２３）に露出し、前記パネル部材（２０）の前記保持部（２５）に前記中間部材（４０）の前記被保持部（４３）が嵌合保持され、前記中間部材（４０）の前記固定部（４１）が、前記パネル部材（２０）の前記保持部（２５）の下端（２５ｂ）と前記基板（６０）の上面（６０ａ）とによって狭持されると共に、前記基部（４５）とそれに隣接する他の基部（４５）との間を接続する接続部（５１）を備え、前記接続部（５１）は、前記基板（６０）の上面（６０ａ）に対して隙間（Ａ）を有する状態で設置されるように形成されていることを特徴とする。
【００２０】
本発明にかかる電子部品設置構造によれば、中間部材の固定部がパネル部材の保持部の下端と基板の上面とによって狭持されるように構成したことで、中間部材をパネル部材又は基板に対して確実に固定することが可能となる。また、パネル部材の保持部に中間部材の被保持部が嵌合保持されるように構成したことによっても、中間部材をパネル部材又は基板に対して確実に固定することができる。これらによって、基板及びパネル部材に微振動が伝わる状況でも、中間部材と基板及びパネル部材との間で振動音（ビリツキ音）が発生することを効果的に抑制できる電子部品設置構造となる。
【００２１】
また、電子部品設置部上の基部を隣接する他の基部に接続するための接続部が基板に接触しない状態で設置されるので、接続部と基板との隙間で振動音が発生せずに済むようになる。これにより、従来構造の問題点であった隣接する基部同士を接続している接続部に発生する振動音を解消できる。また、この構成では、接続部を基板の上面から浮かせていることで、電子部品設置部上の基部を隣接する他の基部に接続している接続部を有する中間部材をパネル部材と基板との間に挟み込んで組み立てる際に、中間部材の組み付けが簡単に行えるようになる。
【００２２】
また、本発明にかかる電子楽器は、各種機能の設定操作を行うための操作子が配列された操作パネル部（１）と、楽音を発生するためのスピーカ（５）とを備えた電子楽器であって、前記操作パネル部（１）には、本発明にかかる上記いずれかのスイッチ構造（１０，１０−２，１０−３）と、本発明にかかる上記の電子部品設置構造（１０，１０−２，１０−３）との少なくともいずれかが設けられていることを特徴とする。
【００２３】
この構成によれば、電子楽器が備える操作パネル上のスイッチ構造又は電子部品設置構造において、スピーカから発生する楽音に起因する振動が基板及びパネル部材に伝わる状況でも、中間部材と基板又はパネル部材との間で振動音（ビリツキ音）が発生することを効果的に抑制できる。したがって、電子楽器における振動音の発生を防止することができる。
なお、ここでの括弧内の符号は、後述する実施形態の対応する構成要素の符号を本発明の一例として示したものである。
【発明の効果】
【００２４】
本発明にかかるスイッチ構造、電子部品設置構造、及びそれを備えた電子楽器によれば、部品点数を少なく抑えた簡単な構造で、外部から伝わる振動によって中間部材と基板又はパネル部材との間で振動音（ビリツキ音）が発生することを効果的に抑制できる。
【図面の簡単な説明】
【００２５】
【図１】本発明の実施形態にかかるスイッチ構造を備えた操作パネル部を示す図で、（ａ）は、平面図、（ｂ）は、側面図である。
【図２】操作パネル部の構成部品を示す分解斜視図である。
【図３】パネル部材をその下面側から見た斜視図である。
【図４】操作パネル部を示す側断面図（図１（ａ）のＣ−Ｃ矢視断面図）である。
【図５】操作パネル部を示す側断面図（図１（ａ）のＡ−Ａ矢視断面図）である。
【図６】操作パネル部を示す側断面図（図１（ａ）のＩ−Ｉ矢視断面図）である。
【図７】本発明の第１実施形態にかかるスイッチ構造の詳細構成を示す側断面図である。
【図８】スイッチ構造を備えた電子鍵盤楽器のケース及びその周辺部品を示す分解斜視図である。
【図９】本発明の第２実施形態にかかるスイッチ構造の詳細構成を示す側断面図である。
【図１０】本発明の第３実施形態にかかるスイッチ構造の詳細構成を示す側断面図である。
【図１１】本発明の第４実施形態にかかるスイッチ構造の詳細構成を示す側断面図である。
【図１２】本発明の第１乃至第３実施形態にかかるスイッチ構造を組み合わせて設けた操作パネル部を示す側断面図である。
【発明を実施するための形態】
【００２６】
以下、添付図面を参照して本発明の実施形態を詳細に説明する。
〔第１実施形態〕
図１は、本発明の第１実施形態にかかるスイッチ構造（電子部品設置構造）１０を備えた操作パネル部１を示す図で、同図（ａ）は、平面図、同図（ｂ）は、側面図である。また、図２は、操作パネル部１の構成部品を示す分解斜視図で、図３は、パネル部材２０をその下面２０ｂ側から見た斜視図である。また、図４乃至図６は、スイッチ構造１０を示す側断面図で、図４は、図１（ａ）のＣ−Ｃ矢視断面図、図５は、図１（ａ）のＡ−Ａ矢視断面図、図６は、図１（ａ）のＩ−Ｉ矢視断面図である。図７は、第１実施形態にかかるスイッチ構造１０の詳細構成を示す側断面図である。また、図８は、スイッチ構造１０を有する操作パネル部１を備えた電子鍵盤楽器のケース２及びその周辺の構成部品を示す分解斜視図である。
【００２７】
本実施形態のスイッチ構造１０は、図８に示すように、卓上型の電子鍵盤楽器１００に設けた各種操作を行うための操作子が配列された操作パネル部１に適用されるものである。同図に示すケース２は、電子鍵盤楽器１００の本体部（図示せず）の上面側に被せて設置されるもので、ケース２の上壁２ａの手前側中央には、鍵盤（図示せず）を配置するための略矩形状の開口部３が形成されている。また、開口部３の両側には、スピーカ５を設置するための一対の略円形の開口部４が形成されている。なお、図では一方の開口部４のみ図示している。そして、一方の開口部４の後側に操作パネル部１が配置されている。操作パネル部１は、ケース２の上壁２ａの一部で構成された平板状のパネル部材２０と、該パネル部材２０の下面２０ｂ（図１参照）側に取り付けた中間部材４０及び基板６０とを備えている。本実施形態のスイッチ構造１０は、図１及び図２に示すように、互いに重ね合わせて設置されたパネル部材２０と基板６０とを備え、これらパネル部材２０と基板６０の間に中間部材４０を挟みこんだ状態で設置した構成である。
【００２８】
なお、本実施形態の説明で上又は下あるいは上面又は下面などというときは、上記のパネル部材２０と中間部材４０と基板６０とをそれらの面を横向き（水平向き）にして上下に重ねて設置した場合の上又は下あるいは上面又は下面を指すものとする。ここでの上又は下とは、操作パネル部１やスイッチ構造１０の実際に設置の向きには関係なく定義されるものである。そして、本実施形態の操作パネル部１は、必ずしもパネル部材２０などの面を横向きにした状態で設置するとは限らず、適用する電子鍵盤楽器１００などの電子機器への設置態様によっては、パネル部材２０などの面を縦向き（垂直向き）にして設置する場合もありうる。
【００２９】
図２に示すように、基板６０は、略長方形状の平板状に形成された硬質の回路基板であり、その上面６０ａには、固定接点６１ａが形成されたスイッチ部（電子部品設置部）６２を有している。スイッチ部６２は、基板６０の上面６０ａの長手方向に沿って所定間隔で複数が設けられており、各スイッチ部６２に固定接点６１ａが設けられている。また、基板６０の上面６０ａの所定位置には、ＬＥＤなどの発光素子６５が実装されている。
【００３０】
中間部材４０は、シリコンなどのゴムや合成樹脂など弾性（可撓性）を有する材料からなる一体成型品であって、その全体が基板６０の長手方向に沿う細片状に形成されている。そしてこの中間部材４０は、図４に示すように、基板６０の上面６０ａにおけるスイッチ部６２の外周に設置される固定部４１と該固定部４１の上部に一体に形成した筒状の被保持部（以下、単に「被保持部」と称す。）４３とからなる基部４５と、スイッチ部６２を駆動するための操作子部４７と、基部４５に対して操作子部４７を揺動（移動）可能に連結してなる連結部４９とを有している。
【００３１】
固定部４１は、その下面４１ｂが基板６０の上面６０ａに接した状態で設置されるようになっており、スイッチ部６２を囲むように配置されている。被保持部４３は、固定部４１の上方に一体形成されており、スイッチ部６２の周囲に配置されて上方へ突出する筒状の突起として形成されている。なお、固定部４１の上面４１ａにおける被保持部４３との境界部（被保持部４３の外周面の根元部分）は、後述するパネル部材２０の保持部２５の下端２５ｂを当接させる部分になっている。
【００３２】
操作子部４７は、軸方向が上下方向に延びる略円柱状に形成された部分であり、上面４７ａが被保持部４３の上端部４３ａよりも上方に突出しており、下面４７ｂの外周が薄板状の連結部４９を介して固定部４１の内周辺に連結されている。これにより、操作子部４７は、その下面４７ｂが固定部４１の下面４１ｂよりも若干上方に浮上した位置に支持されている。また、操作子部４７の下面４７ｂには、スイッチ接点（電子部品）６１を構成する可動接点６１ｂが形成されている。
【００３３】
上記の固定部４１及び被保持部４３（基部４５）、操作子部４７、連結部４９の組を含むスイッチ構造１０は、図１及び図４に示すように、中間部材４０の長手方向に沿って所定間隔で複数が配置されている。そして、隣接するスイッチ構造１０の固定部４１の間が接続部５１で接続されている。接続部５１は、隣接する固定部４１の間に架け渡された薄板状の部分であって、その下面５１ｂが固定部４１の下面４１ｂよりも若干上方に浮上した状態で固定部４１に連結されている。これにより、図４及び図７に示すように、固定部４１を基板６０の上面６０ａに設置した状態で、接続部５１の下面５１ｂと基板６０の上面６０ａとの間に微小な寸法の隙間Ａが形成されるようになっている。
【００３４】
パネル部材２０は、図１乃至図３に示すように、全体が横長の長方形状に形成された平板状の部分からなる。このパネル部材２０は、平板状の本体部２１と、該本体部２１に設けた開口部２３と、本体部２１の下面２０ｂにおける開口部２３の外周に突設した筒状の保持部（以下、単に「保持部」と称す。）２５とを有している。開口部２３は、操作子部４７の外径よりも一回り大きな径寸法を有する円形の貫通孔からなり、図４に示すように、操作子部４７を挿通させて該操作子部４７の上面４７ａをパネル部材２０の上面２０ａ側に露出させるようになっている。開口部２３は、中間部材４０の各操作子部４７に対応する位置に複数が形成されている。保持部２５は、各開口部２３の周囲に設けた円筒状の突起であり、その内径寸法は、中間部材４０の被保持部４３をその内側に嵌合させることが可能となるように、被保持部４３の外径寸法と略同一の寸法に形成されている。また、保持部２５は、後述するネジ７０でパネル部材２０と基板６０を固定した状態で、その下端２５ｂが中間部材４０の固定部４１の上面４１ａに対して押圧状態で当接するような寸法に設定されている。なお、上記の保持部２５、被保持部４３、操作子部４７など円形の各突起は、金型による成型の都合上、根元側から先端側に向かって僅かに細くなるような形状に形成されている。これによって、保持部２５と被保持部４３との嵌合などがスムーズに行えるようになるという効果がある。
【００３５】
また、図２及び図３に示すように、パネル部材２０の下面２０ｂにおける外周近傍の所定位置には、円柱状の小突起からなる取付用のボス２７が形成されている。ボス２７の先端には、ネジ７０を締結固定するためのネジ締結孔２８が形成されている。また、基板６０の外周近傍の複数箇所には、ネジ貫通孔６７が形成されている。なお、パネル部材２０のボス２７と基板６０のネジ貫通孔６７とは互いに対応する位置に形成されている。そして、パネル部材２０と基板６０との間に中間部材４０を挟んだ状態で、パネル部材２０と基板６０を圧着させて固定するためのネジ（固定手段）７０が設けられている。ネジ７０は、基板６０の下面６０ｂ側からネジ貫通孔６７に貫通させてボス２７のネジ締結孔２８に締結固定される。
【００３６】
また、パネル部材２０の本体部２１における基板６０上の発光素子６５に対応する位置には、発光素子６５を露出させるための小孔２２が形成されている。また、パネル部材２０の下面２０ｂ側には、他の基板８０も設置されており、該他の基板８０上には、回転式の可変抵抗器からなる電子部品８２が設置されている。そして、パネル部材２０の本体部２１における電子部品８２に対応する位置には、電子部品８２の回転軸８２ａを貫通させるための貫通孔２４が形成されている。また、基板８０をパネル部材２０の下面２０ｂ側に固定するための構造として、パネル部材２０の下面２０ｂに設けたボス２９及び該ボス２９に形成したネジ締結孔３０、基板８０に設けたネジ貫通孔８７、ネジ締結孔３０に締結するためのネジ７１などを備えている。
【００３７】
なお、図１（ｂ）又は図８に示すように、パネル部材２０の上面２０ａは、ケース２の上壁２ａの上面に対して若干窪んだ状態で形成されている。なお、図示は省略するが、この窪んだ状態に形成されたパネル部材２０の上面２０ａには、薄板状のシート部材を取り付けることができる。この場合、操作子部４７の上面４７ａが突出する開口部２３に対しては、シート部材におけるに対応する位置に開口を設けるようにする。
【００３８】
このスイッチ構造１０では、上記のように中間部材４０を間に挟んだ状態で、パネル部材２０と基板６０を圧着させて固定していることで、図４に示すように、中間部材４０の各操作子部４７がパネル部材２０の各開口部２３内に配置され、各操作子部４７の上面４７ａが各開口部２３からパネル部材２０の上面２０ａ側に露出した状態となっている。また、パネル部材２０の保持部２５の内側に中間部材４０の被保持部４３が嵌合保持されている。さらに、中間部材４０の固定部４１の上面４１ａ、詳細には、固定部４１の上面４１ａにおける被保持部４３との境界部分が、パネル部材２０の保持部２５の下端２５ｂと基板６０の上面６０ａとによって狭持されている。また、この状態で、隣接する固定部４１同士を接続してなる接続部５１は、基板６０の上面６０ａに対して隙間Ａを有した状態で設置されている。
【００３９】
また、このスイッチ構造１０は、スイッチ接点６１を構成する部品として、基板６０上のスイッチ部６２に実装された固定接点６１ａと、操作子部４７の下面４７ｂに設けられた可動接点６１ｂとを有している。そして、パネル部材２０の上面２０ａ側に露出する操作子部４７の上面４７ａを指などで押圧操作すると、中間部材４０の連結部４９が撓むことで操作子部４７が下降する。これにより、操作子部４７の可動接点６１ｂがスイッチ部６２の固定接点６１ａに接触してスイッチングが行われる。操作子部４７を押圧操作している力を解除すると、連結部４９の弾性によって操作子部４７が上昇して元の位置に自動復帰することで、固定接点６１ａと可動接点６１ｂの接触が解除される。
【００４０】
以上説明したように、本実施形態のスイッチ構造１０は、スイッチ接点６１の固定接点６１ａが実装されたスイッチ部６２を有する基板６０と、弾性を有する中間部材４０と、平板状のパネル部材２０とを備え、パネル部材２０と基板６０との間に中間部材４０を挟んだ状態で、パネル部材２０と基板６０をネジ７０の締結により圧着固定した構造である。そして、中間部材４０は、基板６０のスイッチ部６２の外周に設置される固定部４１と該固定部４１の上部に一体に形成した筒状の被保持部４３とからなる基部４５と、スイッチ部６２を駆動するための操作子部４７と、基部４５に対して操作子部４７を揺動可能に連結してなる連結部４９とを有している。また、パネル部材２０は、板状の本体部２１と、該本体部２１に設けた操作子部４７を配置するための開口部２３と、本体部２１の下面２０ｂにおける開口部２３の外周に突設した筒状の保持部２５とを有している。そして、中間部材４０の操作子部４７の上面４７ａがパネル部材２０の開口部２３から露出し、パネル部材２０の保持部２５に中間部材４０の被保持部４３が嵌合保持されており、中間部材４０の固定部４１がパネル部材２０の保持部２５の下端２５ｂと基板６０の上面６０ａとによって狭持されている。
【００４１】
この構成によれば、中間部材４０の固定部４１がパネル部材２０の保持部２５の下端２５ｂと基板６０の上面６０ａとによって狭持されているので、中間部材４０をパネル部材２０及び基板６０に対して確実に固定することが可能となる。また、パネル部材２０の保持部２５に中間部材４０の被保持部４３が嵌合保持されるように構成したことによっても、中間部材４０をパネル部材２０及び基板６０に対して確実に固定することができる。これらによって、スピーカ５から発生した楽音に起因する振動がパネル部材２０又は基板６０に伝わる状況でも、中間部材４０とパネル部材２０及び基板６０との間で振動音（ビリツキ音）が発生することを効果的に抑制できる。
【００４２】
また、パネル部材２０の保持部２５に中間部材４０の被保持部４３が嵌合保持されるように構成したことで、パネル部材２０の開口部２３に配置した操作子部４７の位置決めも行われるようになる。したがって、操作パネル部１のデザイン性の向上を図ることができる。また、中間部材４０は、押圧操作される操作子としての機能と、スイッチ部６２を駆動する駆動体としての機能とを兼ね備えた操作子部４７を備えたものであるため、従来のスイッチ構造と比較して、部品点数の削減及び組立工程の簡素化を図ることができる。さらに、中間部材４０の固定部４１がパネル部材２０の保持部２５の下端２５ｂと基板６０の上面６０ａとによって狭持されるように構成したことで、中間部材４０を基板６０に固定するための別途の固定手段が不要となる。これにより、中間部材４０の形状の簡素化を図ることができると共に、スイッチ構造１０の組立の容易化を図ることができる。
【００４３】
また、本実施形態の操作パネル部１が備える基板６０は、所定間隔で設置した複数のスイッチ部６２を備えており、中間部材４０には、該複数のスイッチ部６２それぞれに対応する複数の操作子部４７が設けられており、パネル部材２０には、複数の操作子部４７それぞれに対応する開口部２３が設けられている。すなわち、一の操作パネル部１に複数のスイッチ構造１０が設置されている。そして、中間部材４０は、隣接するスイッチ構造１０の固定部４１同士を接続してなる接続部５１を備えており、接続部５１は、基板６０の上面６０ａに対して隙間Ａを有する状態で設置されるように形成されている。
【００４４】
このように、複数のスイッチ部６２に設けた固定部４１同士を接続する接続部５１が基板６０に接触しない状態で設置されているので、接続部５１と基板６０との間で振動音（いわゆるビリツキ音）が発生せずに済む。これにより、従来構造の問題点であった複数のスイッチ構造を設けた場合のスイッチ構造間で発生する振動音を効果的に防止することができる。また、この構成では、接続部５１を基板６０の上面６０ａから浮かせていることで、複数のスイッチ構造１０を含む操作パネル部１を組み立てる際の中間部材４０の組み付けが簡単に行えるようになる。したがって、操作パネル部１の組立効率を向上させることができる。
【００４５】
なお、操作子部４７の上面４７ａをパネル部材２０の開口部２３から上面２０ａ側に露出させる構成としては、図５に示すように、操作子部４７の上面４７ａをパネル部材２０の上面２０ａよりも上方に突出させて配置する以外にも、図６に示すように、パネル部材２０の上面２０ａにおける開口部２３の周囲に湾曲面状の凹部２６を形成し、操作子部４７の上面４７ａをこの凹部２６内に配置してもよい。さらにこの場合、同図に示すように、凹部２６の開口端に可撓性を有する薄板状のシート部材２６ａを被せることで、シート部材２６ａ越しに操作子部４７の上面４７ａを押圧操作するように構成してよい。
【００４６】
〔第２実施形態〕
次に、本発明の第２実施形態について説明する。なお、第２実施形態の説明及び対応する図面においては、第１実施形態と同一又は相当する構成部分には同一の符号を付し、以下ではその部分の詳細な説明は省略する。また、以下で説明する事項以外の事項については、第１実施形態と同じである。この点は、他の実施形態においても同様である。
【００４７】
図９は、本発明の第２実施形態にかかるスイッチ構造１０−２の詳細構成を示す側断面図である。第１実施形態のスイッチ構造１０では、中間部材４０において操作子部４７と固定部４１を連結している連結部４９が、操作子部４７の下面４７ｂの外周と固定部４１の内周との間を連結していたのに対して、本実施形態のスイッチ構造１０−２では、連結部４９が操作子部４７の下面４７ｂの外周と被保持部４３の上端部４３ａとの間に設置されている。これにより、第１実施形態と比較して、操作子部４７の下面４７ｂが上方に位置しており、操作子部４７の下面４７ｂと基板６０の上面６０ａ（スイッチ部６２）との間により大きな寸法の空間が形成されている。
【００４８】
そのうえで、本実施形態のスイッチ構造１０−２では、スイッチ接点６１を構成する部品として、第１実施形態のスイッチ構造１０が備える固定接点６１ａと可動接点６１ｂとの組み合わせに代えて、基板６０のスイッチ部６２に設置した押釦式スイッチ６１ｃを備えている。押釦式スイッチ６１ｃは、押圧することでスイッチオンし、押圧を解除することでスイッチオフする機構である。したがって、このスイッチ構造１０−２では、パネル部材２０の開口部２３に露出する操作子部４７の上面４７ａを指などで押下操作すると、中間部材４０の連結部４９が撓むことで操作子部４７が下降する。これにより、操作子部４７の下面４７ｂが押釦式スイッチ６１ｃを押圧してスイッチがオンする。一方、操作子部４７を押圧操作している力を解除すると、連結部４９の弾性によって操作子部４７が上昇して元の位置に自動復帰することで、押釦式スイッチ６１ｃの押圧が解除されてスイッチがオフする。
【００４９】
〔第３実施形態〕
次に、本発明の第３実施形態について説明する。図１０は、本発明の第３実施形態にかかるスイッチ構造１０−３の詳細構成を示す側断面図である。本実施形態のスイッチ構造１０−３では、第１実施形態のスイッチ構造１０が備えるスイッチ接点６１（固定接点６１ａ及び可動接点６１ｂ）に加えて、発光機能を有する発光体（電子部品）Ｌを設けると共に、中間部材４０の操作子部４７に代えて、透光性を有する操作子部（以下、「透光部」という）４７−２を設けている。すなわち、本実施形態のスイッチ構造１０−３では、連結部４９を介して基部４５に連結された透光部４７−２は、少なくともその一部が透明又は半透明の材料で構成されている。
【００５０】
また、透光部４７−２の下面４７−２ｂの中央には、円形の凹部４７−２ｃが形成されており、該凹部４７−２ｃの周縁に設けたリング状の突起部の下端面には、カーボンなどからなる可動接点６１ｂを設けている。また、可動接点６１ｂに対向する位置の基板６０上には、固定接点６１ａが形成されている。そして、基板６０の上面６０ａにおける透光部４７−２の下側の中央には、発光体Ｌを設置した発光部（電子部品設置部）６２−２が設けられている。発光体Ｌは、基板６０上に一体形成したチップ状の発光ダイオードからなる。これにより、発光体Ｌの光が透光部４７−２の下面４７−２ｂ側から上面４７−２ａ側に透過されるようになっている。発光体Ｌは、透光部４７−２の下面に設けた凹部４７−２ｃ内に配置されるようになっている。
【００５１】
この構成によれば、中間部材４０に透光性を有する透光部４７−２を設け、基板６０の発光部６２−２に発光体Ｌを設置したことで、発光体Ｌの光をパネル部材２０の上面２０ａ側に照射させることができる。したがって、簡単な構成で操作パネル部１に発光機能を持たせることができる。また、本実施形態のスイッチ構造１０−３では、パネル部材２０と基板６０とがネジ７０の締結により圧着状態で固定されていること、及びパネル部材２０の保持部２５に中間部材４０の被保持部４３が挿入保持されていることによって、パネル部材２０及び基板６０に対する中間部材４０及び透光部４７−２の位置決めが高い精度で行われている。したがって、上記のような基板６０上に設置した発光体Ｌからの光を透光部４７−２に通過させる構造でも、発光体Ｌからの光軸が透光部４７−２に対してずれることを効果的に防止できる。
【００５２】
なお、ここでは、基板６０上の発光部６２−２にスイッチ接点６１の固定接点６１ａと発光体Ｌとを設置した場合を示したが、これ以外にも、図示は省略するが、スイッチ接点６１の固定接点６１ａと可動接点６１ｂを省略して、基板６０上の発光部６２−２に発光体Ｌだけを設置することも可能である。これによれば、発光機能のみを備えた電子部品設置構造を簡単な構成で実現できる。とりわけ、様々な種類のスイッチ構造や発光機能付きスイッチ構造を備えた操作パネル部に発光機能のみを備えた部品を併設する場合には、スイッチ構造と発光機能のみを備えた部品とを同様の構造で設けることができるので、操作パネル部の構成の簡素化を図ることができる。
【００５３】
また、透光部４７−２は、その一部を透明又は半透明で構成する以外にも、透光部４７−２の全体を透明又は半透明に形成してもよい。この場合は、隣接する他のスイッチ構造１０（１０−２）などの方へ発光体Ｌの光が漏れることを防ぐために、中間部材４０の連結部４９を境界として、透光部４７−２のみを透明又は半透明とし、基部４５は不透明とすることが望ましい。この場合の中間部材４０の具体的な製造方法としては、詳細な図示は省略するが、射出成型によって中間部材４０を製造する際、基部４５を形成するための金型内と透光部４７−２を形成するための金型内とに互いに異なる色の材料を射出して、連結部４９がそれらの境界となるようにする手段がある。また、予め成型した中間部材４０の成型品に対して、基部４５のみに着色を施すなどの手段もある。
【００５４】
また、基板６０上の発光部６２−２に発光体Ｌのみを設置する場合は、透光部４７−２が上下に揺動しなくてよいので、中間部材４０（特に連結部４９）は、弾性あるいは可撓性を有しない硬質の材料で構成してもよい。
【００５５】
〔第４実施形態〕
次に、本発明の第４実施形態について説明する。図１１は、本発明の第４実施形態にかかるスイッチ構造１０−４を示す側断面図である。本実施形態のスイッチ構造１０−４では、中間部材４０における被保持部４３の外周側に、パネル部材２０の保持部２５の外周側を囲む筒状の突起からなる囲み部５２が形成されており、被保持部４３と囲み部５２との間には、保持部２５の下端２５ｂを挿入させる凹状の窪み部５４が設けられている。これにより、パネル部材２０の保持部２５に中間部材４０の被保持部４３を嵌合保持させた状態で、保持部２５の下端２５ｂが窪み部５４に配置されて、囲み部５２が保持部２５の外周側に重なるようになっている。
【００５６】
この構成によれば、囲み部５２によって、保持部２５の下端２５ｂと固定部４１との間を密封することが可能となる。これにより、パネル部材２０の開口部２３から基板６０側に液体が入った場合でも、該液体が基板６０のスイッチ部６２側に浸入することを防ぐことができる。したがって、スイッチ構造１０−４に防水機能を持たせることができる。また、パネル部材２０の上面２０ａ側からスイッチ部６２に埃などの異物が侵入することも抑制できる。
【００５７】
なおここでは、囲み部５２及び窪み部５４を第１実施形態のスイッチ構造１０に設けた場合を示したが、本実施形態の囲み部５２及び窪み部５４は、これ以外にも、詳細な図示は省略するが、第２実施形態のスイッチ構造１０−２や、第３実施形態のスイッチ構造１０−３に設けることも可能である。
【００５８】
図１２は、第１、第２実施形態のスイッチ構造１０，１０−２と、第３実施形態のスイッチ構造１０−３とを組み合わせて設けた操作パネル部１を示す側断面図である。同図に示すように、同一の操作パネル部１に設ける複数のスイッチ構造として、固定接点６１ａ及び可動接点６１ｂを備えた第１実施形態のスイッチ構造１０と、押釦式スイッチ６１ｃを備えた第２実施形態のスイッチ構造１０−２と、発光体Ｌ及び透光部４７−２を備えた第３実施形態のスイッチ構造１０−３とを混在させて設置することが可能である。これにより、共通の部品で構成された一の操作パネル部１に異なる種類のスイッチ構造を設けることが可能となる。なお、ここでの組み合わせとしては、第１，第２実施形態のスイッチ構造１０，１０−２、及び第３実施形態のスイッチ構造１０−３をどのように組み合わせてもよい。また、スイッチ構造１０，１０−２，１０−３の設置数も適宜に選択が可能である。
【００５９】
なお、囲み部５２及び窪み部５４を有する第４実施形態のスイッチ構造１０−４に関しては、操作パネル部１の全体に防水効果を持たせることが必要であるため、通常は、同一の操作パネル部１に設置する全部のスイッチ構造に対して囲み部５２及び窪み部５４を設けた構造を採用することが望ましい。
【００６０】
以上本発明の実施形態を説明したが、本発明は上記実施形態に限定されるものではなく、特許請求の範囲、及び明細書と図面に記載された技術的思想の範囲内において種々の変形が可能である。例えば、上記実施形態では、中間部材４０は、その全体が弾性を有するゴム又は合成樹脂材料で形成されている場合を示したが、中間部材４０は、少なくとも連結部４９の部分が弾性あるいは可撓性を有する材料で構成されていればよく、その場合、他の箇所は、弾性あるいは可撓性を有しない硬質の材料で構成することも可能である。
【符号の説明】
【００６１】
１  操作パネル部
２  ケース
２ａ  上壁
３  開口部
４  開口部
５  スピーカ
１０，１０−２，１０−３，１０−４  スイッチ構造（電子部品設置構造）
２０  パネル部材
２０ａ  上面
２０ｂ  下面
２１  本体部
２３  開口部
２５  保持部
２５ｂ  下端
２７  ボス
２８  ネジ締結孔
４０  中間部材
４１  固定部
４１ａ  上面
４１ｂ  下面
４３  被保持部
４５  基部
４７  操作子部
４７−２  透光部（操作子部）
４７ａ  上面
４７ｂ  下面
４９  連結部
５１  接続部
５１ｂ  下面
５２  囲み部
５４  窪み部
６０  基板
６０ａ  上面
６０ｂ  下面
６１  スイッチ接点（電子部品）
６１ａ  固定接点
６１ｂ  可動接点
６１ｃ  押釦式スイッチ
６２  スイッチ部（電子部品設置部）
６２−２  発光部（電子部品設置部）
６５  発光素子
６７  ネジ貫通孔
７０  ネジ（固定手段）
Ａ  隙間
Ｌ  発光体（電子部品）
【図１】
0005720224.tif 000002
【図２】
0005720224.tif 000003
【図３】
0005720224.tif 000004
【図４】
0005720224.tif 000005
【図５】
0005720224.tif 000006
【図６】
0005720224.tif 000007
【図７】
0005720224.tif 000008
【図８】
0005720224.tif 000009
【図９】
0005720224.tif 000010
【図１０】
0005720224.tif 000011
【図１１】
0005720224.tif 000012
【図１２】
0005720224.tif 000013